【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
一対の電極間に、発光層を含む少なくとも一層の有機層を有する有機電界発光素子であって、該有機層の少なくとも一層に、下記一般式（１）で表されるインドール誘導体を含むことを特徴とする有機電界発光素子。
【化１】
2009076835.tif 000001
Ｒ１０２〜Ｒ１０６は水素原子又は置換基を表す。Ｒ１０１は炭素原子で連結する置換基を表す。Ｒ１０１とＲ１０６とは互いに結合し、環を形成しても良い。Ｒ１０７は置換基を表す。ｎ１０１は１または２を表し、ｎ１０２は０〜５の整数を表す。但し、ｎ１０１＋ｎ１０２≦６ である。
【請求項２】
Ｒ１０１が３級または４級の炭素原子を有するアルキル基であることを特徴とする請求項１に記載の有機電界発光素子。
【請求項３】
Ｒ１０１がｔ−アルキル基であることを特徴とする請求項１に記載の有機電界発光素子。
【請求項４】
前記インドール誘導体が下記一般式（２）で表される化合物であることを特徴とする請求項１〜３のいずれか１項に記載の有機電界発光素子。
【化２】
2009076835.tif 000002
Ｒ２０２〜Ｒ２０６は水素原子又は置換基を表す。Ｒ２０１は炭素原子で連結する置換基を表す。Ｒ２０１とＲ２０６とは互いに結合し、環を形成しても良い。Ｒ２１２〜Ｒ２１６は水素原子又は置換基を表す。Ｒ２１１は炭素原子で連結する置換基を表す。Ｒ２１１とＲ２１６とは互いに結合し、環を形成しても良い。Ｒ２２１〜Ｒ２２４は、水素原子、又は炭素原子で連結する置換基を表す。
【請求項５】
前記インドール誘導体が下記一般式（３）で表される化合物であることを特徴とする請求項１〜３のいずれか１項に記載の有機電界発光素子。
【化３】
2009076835.tif 000003
Ｒ３０２〜Ｒ３０６は水素原子又は置換基を表す。Ｒ３０１は炭素原子で連結する置換基を表す。Ｒ３０１とＲ３０６とは互いに結合し、環を形成しても良い。Ｒ３１２〜Ｒ３１６は水素原子又は置換基を表す。Ｒ３１１は炭素原子で連結する置換基を表す。Ｒ３１１とＲ３１６とは互いに結合し、環を形成しても良い。Ｒ３２１〜Ｒ３２４は、水素原子、又は炭素原子で連結する置換基を表す。
【請求項６】
前記インドール誘導体が下記一般式（４）で表される化合物であることを特徴とする請求項１〜３のいずれか１項に記載の有機電界発光素子。
【化４】
2009076835.tif 000004
Ｒ４０２〜Ｒ４０６は水素原子又は置換基を表す。Ｒ４０１はｔ−アルキル基を表す。Ｒ４０１とＲ４０６とは互いに結合し、環を形成しても良い。Ｒ４１２〜Ｒ４１６は水素原子又は置換基を表す。Ｒ４１１はｔ−アルキル基を表す。Ｒ４１１とＲ４１６とは互いに結合し、環を形成しても良い。Ｒ４２１〜Ｒ４２４は、水素原子、又は炭素原子で連結する置換基を表す。
【請求項７】
前記インドール誘導体が下記一般式（５）で表される化合物であることを特徴とする請求項１〜３のいずれか１項に記載の有機電界発光素子。
【化５】
2009076835.tif 000005
Ｒ５０２〜Ｒ５０６は水素原子又は置換基を表す。Ｒ５０１はｔ−アルキル基を表す。Ｒ５０１とＲ５０６とは互いに結合し、環を形成しても良い。Ｒ５１２〜Ｒ５１６は水素原子又は置換基を表す。Ｒ５１１はｔ−アルキル基を表す。Ｒ５１１とＲ５１６とは互いに結合し、環を形成しても良い。Ｒ５２１〜Ｒ５２４は、水素原子、又は炭素原子で連結する置換基を表す。
【請求項８】
前記インドール誘導体を発光層に含有することを特徴とする請求項１〜７のいずれか１項に記載の有機電界発光素子。
【請求項９】
前記インドール誘導体を発光層に隣接する層に含有することを特徴とする請求項１〜８のいずれか１項に記載の有機電界発光素子。
【請求項１０】
下記一般式（４）で表される化合物。
【化６】
2009076835.tif 000006
Ｒ４０２〜Ｒ４０６は水素原子又は置換基を表す。Ｒ４０１はｔ−アルキル基を表す。Ｒ４０１とＲ４０６とは互いに結合し、環を形成しても良い。Ｒ４１２〜Ｒ４１６は水素原子又は置換基を表す。Ｒ４１１はｔ−アルキル基を表す。Ｒ４１１とＲ４１６とは互いに結合し、環を形成しても良い。Ｒ４２１〜Ｒ４２４は、水素原子、又は炭素原子で連結する置換基を表す。
【請求項１１】
下記一般式（５）で表される化合物。
【化７】
2009076835.tif 000007
Ｒ５０２〜Ｒ５０６は水素原子又は置換基を表す。Ｒ５０１はｔ−アルキル基を表す。Ｒ５０１とＲ５０６とは互いに結合し、環を形成しても良い。Ｒ５１２〜Ｒ５１６は水素原子又は置換基を表す。Ｒ５１１はｔ−アルキル基を表す。Ｒ５１１とＲ５１６とは互いに結合し、環を形成しても良い。Ｒ５２１〜Ｒ５２４は、水素原子、又は炭素原子で連結する置換基を表す。
【請求項１２】
下記一般式（１）で表される有機電界発光素子用材料。
【化８】
2009076835.tif 000008
Ｒ１０２〜Ｒ１０６は水素原子又は置換基を表す。Ｒ１０１は炭素原子で連結する置換基を表す。Ｒ１０１とＲ１０６とは互いに結合し、環を形成しても良い。Ｒ１０７は置換基を表す。ｎ１０１は１または２を表し、ｎ１０２は０〜５の整数を表す。但し、ｎ１０１＋ｎ１０２≦６ である。
【請求項１３】
下記一般式（２）で表される有機電界発光素子用材料。
【化９】
2009076835.tif 000009
Ｒ２０２〜Ｒ２０６は水素原子又は置換基を表す。Ｒ２０１は炭素原子で連結する置換基を表す。Ｒ２０１とＲ２０６とは互いに結合し、環を形成しても良い。Ｒ２１２〜Ｒ２１６は水素原子又は置換基を表す。Ｒ２１１は炭素原子で連結する置換基を表す。Ｒ２１１とＲ２１６とは互いに結合し、環を形成しても良い。Ｒ２２１〜Ｒ２２４は、水素原子、又は炭素原子で連結する置換基を表す。
【請求項１４】
下記一般式（３）で表される有機電界発光素子用材料。
【化１０】
2009076835.tif 000010
Ｒ３０２〜Ｒ３０６は水素原子又は置換基を表す。Ｒ３０１は炭素原子で連結する置換基を表す。Ｒ３０１とＲ３０６とは互いに結合し、環を形成しても良い。Ｒ３１２〜Ｒ３１６は水素原子又は置換基を表す。Ｒ３１１は炭素原子で連結する置換基を表す。Ｒ３１１とＲ３１６とは互いに結合し、環を形成しても良い。Ｒ３２１〜Ｒ３２４は、水素原子、又は炭素原子で連結する置換基を表す。
【請求項１５】
下記一般式（４）で表される有機電界発光素子用材料。
【化１１】
2009076835.tif 000011
Ｒ４０２〜Ｒ４０６は水素原子又は置換基を表す。Ｒ４０１はｔ−アルキル基を表す。Ｒ４０１とＲ４０６とは互いに結合し、環を形成しても良い。Ｒ４１２〜Ｒ４１６は水素原子又は置換基を表す。Ｒ４１１はｔ−アルキル基を表す。Ｒ４１１とＲ４１６とは互いに結合し、環を形成しても良い。Ｒ４２１〜Ｒ４２４は、水素原子、又は炭素原子で連結する置換基を表す。
【請求項１６】
下記一般式（５）で表される有機電界発光素子用材料。
【化１２】
2009076835.tif 000012
Ｒ５０２〜Ｒ５０６は水素原子又は置換基を表す。Ｒ５０１はｔ−アルキル基を表す。Ｒ５０１とＲ５０６とは互いに結合し、環を形成しても良い。Ｒ５１２〜Ｒ５１６は水素原子又は置換基を表す。Ｒ５１１はｔ−アルキル基を表す。Ｒ５１１とＲ５１６とは互いに結合し、環を形成しても良い。Ｒ５２１〜Ｒ５２４は、水素原子、又は炭素原子で連結する置換基を表す。
【請求項１７】
請求項１〜９のいずれか１項に記載の有機電界発光素子を用いた表示素子。
【手続補正２】
【補正対象書類名】明細書
【補正対象項目名】００２０
【補正方法】変更
【補正の内容】
【００２０】
Ｒ５０２〜Ｒ５０６は水素原子又は置換基を表す。Ｒ５０１はｔ−アルキル基を表す。Ｒ５０１とＲ５０６とは互いに結合し、環を形成しても良い。Ｒ５１２〜Ｒ５１６は水素原子又は置換基を表す。Ｒ５１１はｔ−アルキル基を表す。Ｒ５１１とＲ５１６とは互いに結合し、環を形成しても良い。Ｒ５２１〜Ｒ５２４は、水素原子、又は炭素原子で連結する置換基を表す。
（１２）下記一般式（１）で表される有機電界発光素子用材料。
【化２１】
2009076835.tif 000013
Ｒ１０２〜Ｒ１０６は水素原子又は置換基を表す。Ｒ１０１は炭素原子で連結する置換基を表す。Ｒ１０１とＲ１０６とは互いに結合し、環を形成しても良い。Ｒ１０７は置換基を表す。ｎ１０１は１または２を表し、ｎ１０２は０〜５の整数を表す。但し、ｎ１０１＋ｎ１０２≦６ である。
（１３）下記一般式（２）で表される有機電界発光素子用材料。
【化２２】
2009076835.tif 000014
Ｒ２０２〜Ｒ２０６は水素原子又は置換基を表す。Ｒ２０１は炭素原子で連結する置換基を表す。Ｒ２０１とＲ２０６とは互いに結合し、環を形成しても良い。Ｒ２１２〜Ｒ２１６は水素原子又は置換基を表す。Ｒ２１１は炭素原子で連結する置換基を表す。Ｒ２１１とＲ２１６とは互いに結合し、環を形成しても良い。Ｒ２２１〜Ｒ２２４は、水素原子、又は炭素原子で連結する置換基を表す。
（１４）下記一般式（３）で表される有機電界発光素子用材料。
【化２３】
2009076835.tif 000015
Ｒ３０２〜Ｒ３０６は水素原子又は置換基を表す。Ｒ３０１は炭素原子で連結する置換基を表す。Ｒ３０１とＲ３０６とは互いに結合し、環を形成しても良い。Ｒ３１２〜Ｒ３１６は水素原子又は置換基を表す。Ｒ３１１は炭素原子で連結する置換基を表す。Ｒ３１１とＲ３１６とは互いに結合し、環を形成しても良い。Ｒ３２１〜Ｒ３２４は、水素原子、又は炭素原子で連結する置換基を表す。
（１５）下記一般式（４）で表される有機電界発光素子用材料。
【化２４】
2009076835.tif 000016
Ｒ４０２〜Ｒ４０６は水素原子又は置換基を表す。Ｒ４０１はｔ−アルキル基を表す。Ｒ４０１とＲ４０６とは互いに結合し、環を形成しても良い。Ｒ４１２〜Ｒ４１６は水素原子又は置換基を表す。Ｒ４１１はｔ−アルキル基を表す。Ｒ４１１とＲ４１６とは互いに結合し、環を形成しても良い。Ｒ４２１〜Ｒ４２４は、水素原子、又は炭素原子で連結する置換基を表す。
（１６）下記一般式（５）で表される有機電界発光素子用材料。
【化２５】
2009076835.tif 000017
Ｒ５０２〜Ｒ５０６は水素原子又は置換基を表す。Ｒ５０１はｔ−アルキル基を表す。Ｒ５０１とＲ５０６とは互いに結合し、環を形成しても良い。Ｒ５１２〜Ｒ５１６は水素原子又は置換基を表す。Ｒ５１１はｔ−アルキル基を表す。Ｒ５１１とＲ５１６とは互いに結合し、環を形成しても良い。Ｒ５２１〜Ｒ５２４は、水素原子、又は炭素原子で連結する置換基を表す。
（１７）（１）〜（９）のいずれか１項に記載の有機電界発光素子を用いた表示素子。